(57)【特許請求の範囲】
【請求項１】
入力データを変調し、所定の搬送波周波数の無線信号として出力する第１のモデム及び前記無線信号を電波として放射する第１のアンテナ装置を含む複数の送信系統と、
入力された秘匿データを前記送信系統の少なくとも一つへ出力し、ダミーデータを、前記秘匿データを出力した前記送信系統とは異なる他の送信系統へ出力する経路切替及びダミー出力部と、
前記秘匿データ及び前記ダミーデータの送信に用いる変調方式及び搬送波周波数の組み合わせパターンを生成するパターン発生部と、
前記パターン発生部で生成された組み合わせパターンにしたがって前記経路切替及びダミー出力部に前記秘匿データ及び前記ダミーデータを出力する送信系統を指示し、前記モデムが実施する変調方式及び送信に用いる搬送波周波数を指示する第１の制御部と、
を有し、
前記送信系統の数が２であり、
前記第１のモデムは、
実施する変調方式及び搬送波周波数を、前記制御部からの指示にしたがって予め設定された所定の期間で切り替え、
前記第１の制御部は、
前記変調方式及び伝送速度を制御することで前記秘匿データ及び前記ダミーデータの送信に用いる帯域幅を制限し、
前記複数の送信系統を用いて前記秘匿データ及び前記ダミーデータを同時に送信する送信装置。
【請求項２】
入力データを変調し、所定の搬送波周波数の無線信号として出力する第１のモデム及び前記無線信号を電波として放射する第１のアンテナ装置を含む複数の送信系統と、
入力された秘匿データを前記送信系統の少なくとも一つへ出力し、ダミーデータを、前記秘匿データを出力した前記送信系統とは異なる他の送信系統へ出力する経路切替及びダミー出力部と、
前記秘匿データ及び前記ダミーデータの送信に用いる変調方式及び搬送波周波数の組み合わせパターンを生成するパターン発生部と、
前記パターン発生部で生成された組み合わせパターンにしたがって前記経路切替及びダミー出力部に前記秘匿データ及び前記ダミーデータを出力する送信系統を指示し、前記モデムが実施する変調方式及び送信に用いる搬送波周波数を指示する第１の制御部と、
を有し、
前記送信系統の数が３以上であり、
前記第１のモデムは、
実施する変調方式及び搬送波周波数を、前記制御部からの指示にしたがって予め設定された所定の期間で切り替え、
前記第１の制御部は、
前記変調方式及び伝送速度を制御することで前記秘匿データ及び前記ダミーデータの送信に用いる帯域幅を制限し、
前記複数の送信系統を用いて前記秘匿データ及び前記ダミーデータを同時に送信し、
前記秘匿データまたは前記ダミーデータのいずれか一方を２つの送信系統を用いて送信する期間を設ける送信装置。
【請求項３】
請求項１または２に記載の送信装置と、
前記送信装置から送信された無線信号を受信する第２のアンテナ装置、及び前記第２のアンテナ装置で受信された無線信号を所定の周波数帯のベースバンド信号へダウンコンバートすると共に指示された復調方式で復調して前記送信装置から無線信号として同時に送信された秘匿データまたはダミーデータを再生する第２のモデムを含む受信系統を複数備え、
前記複数の受信系統で再生された前記秘匿データまたは前記ダミーデータのうち、前記秘匿データを抽出して出力する信号判定部、
前記送信装置で用いられた変調方式及び搬送波周波数に対応する復調方式及びコンバージョン周波数の組み合わせパターンを生成するパターン発生部、並びに
前記パターン発生部で生成された組み合わせパターンにしたがって前記秘匿データを再生する受信系統を前記信号判定部へ指示すると共に、前記モデムに、前記無線信号に施す復調方式及びコンバージョン周波数を指示する第２の制御部を有し、
前記第２の制御部が、
前記受信系統毎に用いる復調方式及びコンバージョン周波数を、前記パターン発生部で生成された組み合わせパターンに基づいて所定の期間で切り替える受信装置と、
を有する無線通信システム。
【発明の詳細な説明】
【技術分野】
【０００１】
本発明は、送信装置、並びに該送信装置及び受信装置を備えた無線通信システムに関する。
【背景技術】
【０００２】
一般に、無線通信システムでは、無線通信で利用する通信方式として、変復調方式や搬送波周波数等が標準で定められている。通信方式には、変復調方式や搬送波周波数が切り替え可能なものもあるが、通常、これらの通信方式は予め決められた変復調方式や搬送波周波数の中から通信品質等に応じて適宜選択するものである。
すなわち、一般的な無線通信システムでは、無線通信に利用する変復調方式や搬送波周波数等が決まっているため、第三者によって送信装置と受信装置間で送受信している無線信号が傍受される可能性がある。その場合、該傍受された無線信号に信号処理や解析を施すことで通信内容が盗聴されるおそれがある。
【０００３】
そのような第三者による盗聴を困難にして、通信中の傍受されたくないデータ（秘匿データ）の秘匿性を向上させるための手法が、例えば特許文献１や２で提案されている。
特許文献１には、変復調方式及び搬送波周波数を、所定の時間毎やパケット単位で切り替えることで、第三者による盗聴を困難にした技術が記載されている。また、特許文献１には、送信装置から受信装置へ次に利用する変復調方式や搬送波周波数を示す情報を暗号化して送信することで、送信装置及び受信装置で利用する変復調方式や搬送波周波数を一致させることが記載されている。さらに、特許文献１には、秘匿データと共にダミーデータを同時に送信することで、第三者による秘匿データの盗聴を困難にすることが記載されている。
【０００４】
特許文献２には、時分割多元接続方式を採用した無線通信システムにおいて、データの送信に利用する通信スロット及び搬送波周波数を切り替えることで、第三者による盗聴を困難にした技術が記載されている。
【先行技術文献】
【特許文献】
【０００５】
【特許文献１】特開２００４−３３６７２０号公報
【特許文献２】特開２００８−０１１１５９号公報
【発明の概要】
【発明が解決しようとする課題】
【０００６】
上述した特許文献１や２に記載された技術によれば、変復調方式や搬送波周波数、あるいは通信スロットを切り替えることで、第三者が傍受するのに必要な情報を低減できるため、秘匿データの耐傍受性を向上させることができる。
また、秘匿データと共にダミーデータを同時に送信すれば、該秘匿データが第三者に傍受されても、同時に傍受されるダミーデータとの判別が困難であるため、第三者による秘匿データの盗聴を困難にできる。
【０００７】
しかしながら、複数の無線系統を利用して秘匿データ及びダミーデータを送信する構成は、無線通信に利用する周波数帯域を広い帯域幅で保持する必要があるという課題がある。
【０００８】
本発明は上述したような背景技術の問題を解決するためになされたものであり、秘匿データの耐傍受性や秘匿性を維持しつつ、無線通信に利用する周波数帯域幅を低減できる送信装置及び無線通信システムを提供することを目的とする。
【課題を解決するための手段】
【０００９】
上記目的を達成するため本発明の送信装置は、入力データを変調し、所定の搬送波周波数の無線信号として出力する第１のモデム及び前記無線信号を電波として放射する第１のアンテナ装置を含む複数の送信系統と、
入力された秘匿データを前記送信系統の少なくとも一つへ出力し、ダミーデータを、前記秘匿データを出力した前記送信系統とは異なる他の送信系統へ出力する経路切替及びダミー出力部と、
前記秘匿データ及び前記ダミーデータの送信に用いる変調方式及び搬送波周波数の組み合わせパターンを生成するパターン発生部と、
前記パターン発生部で生成された組み合わせパターンにしたがって前記経路切替及びダミー出力部に前記秘匿データ及び前記ダミーデータを出力する送信系統を指示し、前記モデムが実施する変調方式及び送信に用いる搬送波周波数を指示する第１の制御部と、
を有し、
前記送信系統の数が２であり、
前記第１のモデムは、
実施する変調方式及び搬送波周波数を、前記制御部からの指示にしたがって予め設定された所定の期間で切り替え、
前記第１の制御部は、
前記変調方式及び伝送速度を制御することで前記秘匿データ及び前記ダミーデータの送信に用いる帯域幅を制限し、
前記複数の送信系統を用いて前記秘匿データ及び前記ダミーデータを同時に送信する構成である。
または、入力データを変調し、所定の搬送波周波数の無線信号として出力する第１のモデム及び前記無線信号を電波として放射する第１のアンテナ装置を含む複数の送信系統と、
入力された秘匿データを前記送信系統の少なくとも一つへ出力し、ダミーデータを、前記秘匿データを出力した前記送信系統とは異なる他の送信系統へ出力する経路切替及びダミー出力部と、
前記秘匿データ及び前記ダミーデータの送信に用いる変調方式及び搬送波周波数の組み合わせパターンを生成するパターン発生部と、
前記パターン発生部で生成された組み合わせパターンにしたがって前記経路切替及びダミー出力部に前記秘匿データ及び前記ダミーデータを出力する送信系統を指示し、前記モデムが実施する変調方式及び送信に用いる搬送波周波数を指示する第１の制御部と、
を有し、
前記送信系統の数が３以上であり、
前記第１のモデムは、
実施する変調方式及び搬送波周波数を、前記制御部からの指示にしたがって予め設定された所定の期間で切り替え、
前記第１の制御部は、
前記変調方式及び伝送速度を制御することで前記秘匿データ及び前記ダミーデータの送信に用いる帯域幅を制限し、
前記複数の送信系統を用いて前記秘匿データ及び前記ダミーデータを同時に送信し、
前記秘匿データまたは前記ダミーデータのいずれか一方を２つの送信系統を用いて送信する期間を設ける構成である。
【００１０】
一方、本発明の無線通信システムは、
上記送信装置と、
前記送信装置から送信された無線信号を受信する第２のアンテナ装置、及び前記第２のアンテナ装置で受信された無線信号を所定の周波数帯のベースバンド信号へダウンコンバートすると共に指示された復調方式で復調して前記送信装置から無線信号として同時に送信された秘匿データまたはダミーデータを再生する第２のモデムを含む受信系統を複数備え、
前記複数の受信系統で再生された前記秘匿データまたは前記ダミーデータのうち、前記秘匿データを抽出して出力する信号判定部、
前記送信装置で用いられた変調方式及び搬送波周波数に対応する復調方式及びコンバージョン周波数の組み合わせパターンを生成するパターン発生部、並びに
前記パターン発生部で生成された組み合わせパターンにしたがって前記秘匿データを再生する受信系統を前記信号判定部へ指示すると共に、前記モデムに、前記無線信号に施す復調方式及びコンバージョン周波数を指示する第２の制御部を有し、
前記第２の制御部が、
前記受信系統毎に用いる復調方式及びコンバージョン周波数を、前記パターン発生部で生成された組み合わせパターンに基づいて所定の期間で切り替える受信装置と、
を有する構成である。
【発明の効果】
【００１２】
本発明によれば、秘匿データの耐傍受性や秘匿性を維持しつつ、無線通信に利用する周波数帯域幅を低減できる。
【図面の簡単な説明】
【００１３】
【図１】秘匿データ及びダミーデータの送信に用いる搬送波周波数を切り替える様子を示す模式図である。
【図２】秘匿データ及びダミーデータの送信に用いる変調方式を切り替える様子を示す模式図である。
【図３】秘匿データ及びダミーデータの送信に用いる他の変調方式を切り替える様子を示す模式図である。
【図４】本発明の送信装置の一構成例を示すブロック図である。
【図５】本発明の受信装置の一構成例を示すブロック図である。
【図６】秘匿データ及びダミーデータの送信に用いる変調方式、搬送波周波数及び送信系統数の切り替え例を示す模式図である。
【発明を実施するための形態】
【００１４】
次に本発明について図面を用いて説明する。
本発明では、秘匿データと共にダミーデータを同時に送信する。ここで、秘匿データ及びダミーデータの送受信に利用する通信方式としては、周波数分割多元接続（Frequency-Division Multiple Access：ＦＤＭＡ）方式のように、複数の搬送波周波数を利用する通信方式と、符号分割多元接続（Code Division Multiple Access：ＣＤＭＡ）方式のように、同一の搬送波周波数を利用する通信方式とに大別できる。
そこで、ＦＤＭＡ方式のように、複数の搬送波周波数を利用する（または利用可能な）通信方式の場合、図１に示すように秘匿データ及びダミーデータの送信に用いる搬送波周波数を予め設定した所定の期間（単位時間毎あるいは通信毎）で切り替える。さらに、図２に示すように秘匿データ及びダミーデータの送信に用いる変復調方式を予め設定した所定の期間（単位時間毎あるいは通信毎）で切り替える。
一方、ＣＤＭＡ方式のように、同一の搬送波周波数を利用する通信方式の場合、秘匿データ及びダミーデータの変調に用いる拡散符号を予め設定した所定の期間（単位時間毎あるいは通信毎）で切り替える。この場合、図３に示すよう秘匿データの送信電波とダミーデータの送信電波とが重なることで、見かけ上の電波形状が変更される。
【００１５】
図４は本発明の送信装置の一構成例を示すブロック図であり、図５は本発明の受信装置の一構成例を示すブロック図である。
図４に示すように、本発明の送信装置は、端末装置１１、経路切替及びダミー出力部１２、複数のモデム１３、複数の電力増幅器１４、複数のアンテナ装置１５、制御部１６及びパターン発生部１７を有する構成である。
【００１６】
図４に示すように、本発明の送信装置は、モデム１３、電力増幅器１４及びアンテナ装置１５を含む送信系統１０を複数備える。各送信系統１０は、同一特性のモデム１３、電力増幅器１４及びアンテナ装置１５で構成されていてもよく、異なる特性のモデム１３、アンテナ装置１４及び電力増幅器１５で構成されていてもよい。電力増幅器１４及びアンテナ装置１５は、複数の搬送波周波数帯の無線信号が送信可能な構成でもよく、特定の搬送波周波数帯で最適に動作する構成でもよい。モデム１３は、複数の変調方式のうち、指定された変調方式で入力データの変調が可能な構成である。また、モデム１３は、複数の搬送波周波数のうち、入力データを指定された搬送波周波数の無線信号に変換可能な構成である。図４は、送信装置が、モデム１３、電力増幅器１４及びアンテナ装置１５を含む送信系統１０を３つ備える構成例を示しているが、送信系統１０の数は２以上であればいくつでもよい。
【００１７】
端末装置１１は、図４に示す送信装置を利用するユーザが使用する機器であり、通信対象であるユーザデータ等の秘匿データを出力する。端末装置１１は、例えばプログラムにしたがって処理を実行するＣＰＵ（Central Processing Unit）、メモリ、入力装置、出力装置等を備えた情報処理装置（コンピュータ）で実現できる。
なお、端末装置１１は、送信装置に含まれる必要はなく、送信装置から独立した構成でもよい。
【００１８】
経路切替及びダミー出力部１２は、制御部１６の指示にしたがって、端末装置１１からの秘匿データをいずれかの送信系統１０（モデム１３）へ出力する。また、経路切替及びダミー出力部１２は、ダミーデータを生成し、該ダミーデータを、秘匿データを出力した送信系統１０とは異なる送信系統（モデム１３）１０へ出力する。秘匿データまたはダミーデータを出力する送信系統は１つである必要はなく、複数であってもよい。
【００１９】
モデム１３は、入力された秘匿データまたはダミーデータを、制御部１６の指示にしたがって、指定された変調方式で変調すると共に、指定された搬送波周波数の無線信号へアップコンバートして出力する。モデム１３は、例えば周知の周波数シンセサイザ及びアップコンバータを備え、周波数シンセサイザの発振周波数を変えることで、秘匿データ及びダミーデータを異なる搬送波周波数の無線信号へアップコンバート可能な構成である。モデム１３による変調方式としては、振幅変調（ＡＭ）、位相変調（ＰＭ）、周波数変調（ＦＭ）等のアナログ変調、振幅シフトキーイング（ＡＳＫ）、位相シフトキーイング（ＰＳＫ）、周波数シフトキーイング（ＦＳＫ）等のデジタル変調、直交振幅変調（ＱＡＭ）、直交波周波数分割多重（ＯＦＤＭ）等の様々な方式が考えられる。これらの変調方式は、上記ＦＤＭＡ方式のように複数の搬送波周波数を利用可能である。また、モデム１３による変調方式としては、上記ＣＤＭＡ方式で用いるスペクトラム拡散もある。モデム１３は、例えば異なる変調方式を実現する複数の変調用のＩＣ（Integrated Circuit）、ＤＳＰ（Digital Signal Processor）、ＦＰＧＡ（Field-Programmable Gate Array）等を備え、入力データの変調に用いるＩＣ、ＤＳＰ、ＦＰＧＡ等を切り替えることで変調方式を切り替えればよい。
【００２０】
電力増幅器１４は、モデム１３から出力された無線信号を送信に必要な電力まで増幅する。電力増幅器１４で増幅された無線信号はアンテナ装置１５から電波として放射される。モデム１３から送信に必要な電力で無線信号が出力されている場合、電力増幅器１４は無くてもよい。
【００２１】
制御部１６は、経路切替及びダミー出力部１２による秘匿データ及びダミーデータの出力先の切り替え動作、並びにモデム１３による変調方式や搬送波周波数の切り替え動作を制御する。
【００２２】
パターン発生部１７は、秘匿データ及びダミーデータの送信に用いる送信系統１０毎の変調方式及び搬送波周波数の組み合わせパターンを生成する。制御部１６は、パターン発生部１７で生成された組み合わせパターンにしたがって、秘匿データ及びダミーデータを出力する送信系統１０を経路切替及びダミー出力部１２に指示する。また、制御部１６は、パターン発生部１７で生成された組み合わせパターンにしたがって、秘匿データまたはダミーデータに施す変調方式、並びに秘匿データ及びダミーデータの送信に用いる搬送波周波数を各モデム１３に指示する。制御部１６、パターン発生部１７、並びに経路切替及びダミー出力部１２は、例えばプログラムにしたがって処理を実行するＣＰＵやＤＳＰ、メモリ等を備えた情報処理装置（コンピュータ）、または情報処理用のＩＣで実現できる。
【００２３】
図５に示すように、本発明の受信装置は、端末装置２１、信号判定部２２、複数のモデム２３、複数の無線信号受信部２４及び複数のアンテナ装置２５、制御部２６及びパターン発生部２７を有する構成である。本発明の受信装置は、図４に示した送信装置から送信された無線信号を受信し、該無線装置が送信に用いた変調方式及び搬送波周波数に対応する復調処理及びダウンコンバート処理を実施して秘匿データ及びダミーデータを再生する。
【００２４】
図５に示すように、本発明の受信装置は、モデム２３、無線信号受信部２４及びアンテナ装置２４を含む受信系統２０を複数備える。各受信系統２０は、同一特性のモデム２３、無線信号受信部２４及びアンテナ装置２５で構成されていてもよく、異なる特性のモデム２３、無線信号受信部２４及びアンテナ装置２５で構成されていてもよい。無線信号受信部２４及びアンテナ装置２５は、複数の搬送波周波数帯の無線信号が受信可能な構成でもよく、特定の搬送波周波数帯で最適に動作する構成でもよい。モデム２３は、複数の復調方式のうち、指定された復調方式で入力された無線信号の復調が可能な構成である。また、モデムは、複数の搬送波周波数の無線信号を所定の周波数帯のベースバンド信号に変換可能な構成である。図５は、受信装置が、モデム２３、無線信号受信部２４及びアンテナ装置２５を含む受信系統２０を３つ備える構成例を示しているが、受信系統２０の数は２以上であればいくつでもよい。
【００２５】
端末装置２１は、図５に示す受信装置を利用するユーザが使用する機器であり、通信対象であるユーザデータ等の秘匿データを受信する。端末装置２１は、例えばプログラムにしたがって処理を実行するＣＰＵ、メモリ、入力装置、出力装置等を備えた情報処理装置（コンピュータ）等で実現できる。
なお、端末装置２１は、受信装置に含まれる必要はなく、受信装置から独立した構成でもよい。
【００２６】
アンテナ装置２５は、送信装置から送信された無線信号を受信する。アンテナ装置２５で受信された無線信号は無線信号受信部２４により増幅されて出力される。無線信号受信部２４は、受信した無線信号から所定の搬送波周波数帯の無線信号を抽出するフィルタ及び該無線信号を増幅する低雑音アンプ等を備えている。アンテナ装置２５から十分な電力の無線信号が得られる場合、無線信号受信部２４は無くてもよい。
【００２７】
モデム２３は、制御部２６の指示にしたがって、無線信号受信部２４から出力された無線信号を所定の周波数帯のベースバンド信号へダウンコンバートする。また、モデム２３は、複数の復調方式のうち、制御部２６が指示する復調方式で無線信号の復調が可能な構成である。モデム２３は、例えば周知の周波数シンセサイザ及びダウンコンバータを備え、周波数シンセサイザの発振周波数を変えることで、異なる搬送波周波数の無線信号を所定の周波数帯のベースバンド信号に変換することが可能である。モデム２３による復調方式は、図４に示した送信装置で実施する変調方式に対応した復調方式である。モデム２３は、例えば異なる復調方式を実現する複数の復調用のＩＣ、ＤＳＰ、ＦＰＧＡ等を備え、無線信号の復調に用いるＩＣ、ＤＳＰ、ＦＰＧＡ等を切り替えることで復調方式を切り替えればよい。
【００２８】
信号判定部２２は、複数のモデム２３から出力された秘匿データ及びダミーデータのうち、制御部２６の指示にしたがって秘匿データを抽出し、端末装置２１へ出力する。
【００２９】
制御部２６は、信号判定部２２による秘匿データの抽出動作、並びにモデム２３による復調方式やコンバージョン周波数の切り替え動作を制御する。
パターン発生部２７は、秘匿データ及びダミーデータの復調に用いる、受信系統２０毎の復調方式及び搬送波周波数（コンバージョン周波数）の組み合わせパターンを生成する。制御部２６は、パターン発生部２７で生成された組み合わせパターンにしたがって、無線信号に施す復調方式やコンバージョン周波数を各モデム２３に指示する。また、制御部２６は、パターン発生部２７で生成された組み合わせパターンにしたがって、信号判定部２２に秘匿データを出力するモデムを指示し、該モデム２３で再生された秘匿データを端末装置２１へ出力させる。
【００３０】
制御部２６、パターン発生部２７及び信号判定部２２は、例えばプログラムにしたがって処理を実行するＣＰＵやＤＳＰ、メモリ等を備えた情報処理装置（コンピュータ）、または情報処理用のＩＣで実現できる。
【００３１】
なお、図４は送信装置の構成例を示し、図５は受信装置の構成例を示しているが、図４及び図５に示した構成を組み合わせることで、送信装置及び受信装置の両方の機能を備えた通信機器を実現してもよい。その場合、図４及び図５に示した電力増幅器１４及び無線信号受信部２４をそれぞれ備え、経路切替及びダミー出力部１２、並びに信号判定部２２の機能を共通の回路で実現すればよい。本発明の無線通信システムは、図４に示した送信装置及び図５に示した受信装置を備え、該送信装置と受信装置間で秘匿データ及びダミーデータを送受信する構成であればよい。すなわち、本発明の無線通信システムには、上記通信機器間で秘匿データ及びダミーデータを送受信する構成も含まれる。
【００３２】
このような構成において、上述したように秘匿データとダミーデータとを同時に送信する構成では、無線通信に利用する周波数帯域を広い帯域幅で保持する必要がある。そこで、本発明では、秘匿データ及びダミーデータの同時送信に利用する送信系統１０の数や帯域幅を制限する。さらに、本発明では、秘匿データやダミーデータの送信に利用する変調方式や搬送波周波数を予め設定した所定の期間（単位時間毎あるいは通信毎）で切り替える。
【００３３】
秘匿データ及びダミーデータの送信に利用する送信系統１０の数は、一方を秘匿データの送信に用い、他方をダミーデータの送信に用いるため、最も少ない場合で２となる。但し、常に一方の送信系統１０を秘匿データの送信に用い、他方の送信系統１０をダミーデータの送信に用いると、第三者に秘匿データが傍受される可能性を否定できない。そのため、本発明では、予め設定した所定の期間（単位時間毎あるいは通信毎）で秘匿データやダミーデータの送信に用いる送信系統１０毎の変調方式及び搬送波周波数を切り替える。秘匿データ及びダミーデータの送信に用いる帯域幅は、例えば選択する変調方式や伝送速度によって制御できる。
本発明では、秘匿データまたはダミーデータのいずれか一方を、２つの送信系統１０を用いて送信する期間を設けてもよい。その場合、送信装置が備える送信系統１０及び受信装置が備える受信系統２０は３以上であることが望ましい。秘匿データまたはダミーデータの送信に用いる送信系統１０は、パターン発生部１７で生成された組み合わせパターンにしたがって、制御部１６が決定すればよい。
【００３４】
なお、秘匿データ及びダミーデータは、常に両方を送信する必要はなく、秘匿データのみを一つまたは複数の送信系統１０を用いて送信する期間、あるいはダミーデータのみを一つまたは複数の送信系統１０を用いて送信する期間を設けてもよい。
【００３５】
図６は、秘匿データ及びダミーデータの送信に用いる変調方式、搬送波周波数及び送信系統数の切り替え例を示す模式図である。
図６に示す例では、時刻ｔ＝ｔ０において、搬送波周波数をｆ０とする周波数帯でダミーデータを変調方式１で送信し、搬送波周波数をｆ１とする周波数帯で、ダミーデータよりも広い帯域幅となる変調方式２で秘匿データを送信している。また、時刻ｔ＝ｔ１において、搬送波周波数をｆ２とする周波数帯で秘匿データを変調方式３で送信し、搬送波周波数をｆ３とする周波数帯で、秘匿データと同程度の帯域幅となる変調方式４でダミーデータを送信している。また、時刻ｔ＝ｔ２において、搬送波周波数をｆ４とする周波数帯で秘匿データを変調方式５で送信し、搬送波周波数をｆ５とする周波数帯で、秘匿データと同程度の帯域幅となる変調方式６でダミーデータを送信し、さらに搬送波周波数をｆ６とする周波数帯で、秘匿データよりも狭い帯域幅となる変調方式７でダミーデータを送信している。
【００３６】
秘匿データ及びダミーデータの送信に用いる送信系統１０、並びに変調方式及び搬送波周波数は、例えば共通鍵を用いて送信装置及び受信装置がそれぞれ決定すればよい。このように共通鍵を用いれば、秘匿データやダミーデータを送信する送信系統１０の変調方式や搬送波周波数と、該秘匿データやダミーデータを受信する受信系統２０の復調方式やコンバージョン周波数とを対応させることができる。共通鍵としては、周知の一方向性関数（例えば、ＭＤ５等のハッシュ関数）、該一方向性関数で計算する値を配列した数値表がある。その場合、送信装置及び受信装置は、同じ数値表及び一方向性関数を用いて得られる値（計算値）に基づき、送受信に用いる変復調方式や搬送波周波数の組み合わせパターンを順次生成すればよい。
一方向性関数で計算する値を配列した数値表は、送信装置及び受信装置でそれぞれ備える必要はなく、一方向性関数で計算する値（入力情報）は組み合わせパターン生成時に送信装置から受信装置へ通知してもよい。その場合、入力情報は、周知の共通鍵や公開鍵を用いて暗号化して通知してもよく、暗号化せずに通知してもよい。
【００３７】
送信装置が生成する組み合わせパターンには、送信系統１０毎に用いる変調方式及び搬送波周波数、並びに秘匿データやダミーデータの送信に用いる送信系統１０を識別する情報が含まれる。また、受信装置が生成する組み合わせパターンには、受信系統２０毎に用いる復調方式及びコンバージョン周波数、並びに秘匿データやダミーデータを受信する受信系統２０を識別する情報が含まれる。
【００３８】
組み合わせパターンは、予め送信装置と受信装置の時刻を同期させておき、例えば、予め決められたパターンの切り替え時刻、あるいはその直前に、送信装置及び受信装置が各々のパターン発生部１７及び２７を用いて生成すればよい。
パターンの切り替え時刻は、予め決めておく必要はなく、切り替え間隔をランダムに変更してもよい。その場合、例えば送信装置から受信装置へ予め次のパターンの切り替え時刻を通知すればよい。送信装置から受信装置へ通知するパターンの切り替え時刻は、次の切り替え時刻のみに限定されるものではなく、複数の切り替え時刻を同時に通知してもよい。
【００３９】
組み合わせパターンは、パターンの切り替え時刻に生成する必要はなく、それ以前に生成して保存しておいてもよい。例えば、受信装置は、送信装置から次のパターンの切り替え時刻が通知された時点で、パターン発生部２７を用いて次の組み合わせパターンを生成して保存してもよい。その場合、受信装置は、組み合わせパターンの生成完了を示す応答メッセージを送信装置へ返送し、送信装置は、該応答メッセージを受信した時点で、パターン発生部１７を用いて次の組み合わせパターンを生成することが考えられる。
【００４０】
パターン発生部１７及び２７は、例えばパターンの切り替え時刻毎に、数値表から数値を順次読み出して一方向性関数で計算し、予め備える変換テーブルを用いて一方向性関数による算出値に対応する組み合わせパターンを選択すればよい。一方向性関数へ入力する値は、数値表から取得する必要はなく、周知の乱数生成器を用いて生成してもよい。
【００４１】
本発明によれば、秘匿データやダミーデータの同時送信に利用する送信系統１０の数や帯域幅を制限するため、使用する周波数帯域を節約できる。さらに、本発明では、送信に利用する変調方式や搬送波周波数を予め設定した所定の期間（単位時間毎、通信毎、あるいなランダムな間隔）で切り替えるため、第三者による秘匿データの傍受を困難にできる。
したがって、秘匿データの耐傍受性や秘匿性を維持しつつ、無線通信に利用する周波数帯域幅を低減できる。
【符号の説明】
【００４２】
１０    送信系統
１１、２１    端末装置
１２    経路切替及びダミー出力部
１３、２３    モデム
１４    電力増幅器
１５、２５    アンテナ装置
１６、２６    制御部
１７、２７    パターン発生部
２０    受信系統
２２    信号判定部
２４    無線信号受信部
【図１】
0006561541.tif 000002
【図２】
0006561541.tif 000003
【図３】
0006561541.tif 000004
【図４】
0006561541.tif 000005
【図５】
0006561541.tif 000006
【図６】
0006561541.tif 000007